(57)【要約】【課題】丸パイプからなる支柱に取り付けられるパネルの取り付け角度範囲を容易に拡大することができるフェンス用コーナー金具を提供する。【解決手段】丸パイプからなる支柱と同一曲率で湾曲した、支柱に固定される内側取り付け部２と、内側取り付け部２の外側に内側取り付け部２と間隔をあけ、内側取り付け部２と同一曲率で内側取り付け部２に沿って湾曲した、パネルの継手金具が固定される外側取り付け部３とからなり、内側取り付け部２と外側取り付け部３とは、それぞれ上端部で一体的に連結され、内側取り付け部２と外側取り付け部３とには、それぞれ長孔６、７が形成され、内側取り付け部２の一方の端部２ａは、外側取り付け部３の一方の端部３ａより突出し、外側取り付け部３の他方の端部３ｂは、内側取り付け部２の他方の端部２ｂより突出し、かくして、内側取り付け部２の長孔６の位置と外側取り付け部３の長孔７の位置とは、長孔６，７の周方向にずれている。【選択図】図８
2015206166.tif 000002
【特許請求の範囲】
【請求項１】
丸パイプからなる支柱にパネルを継手金具を介して取り付け角度調整可能に取り付けるフェンス用コーナー金具において、
前記支柱と同一曲率で湾曲した、前記支柱に固定される内側取り付け部と、前記内側取り付け部の外側に前記内側取り付け部と間隔をあけ、前記内側取り付け部と同一曲率で前記内側取り付け部に沿って湾曲した、前記継手金具が固定される外側取り付け部とからなり、前記内側取り付け部と前記外側取り付け部とは、それぞれ上端部で一体的に連結され、前記内側取り付け部と前記外側取り付け部とには、それぞれ長孔が形成され、前記内側取り付け部の一方の端部は、前記外側取り付け部の一方の端部より突出し、前記外側取り付け部の他方の端部は、前記内側取り付け部の他方の端部より突出し、かくして、前記内側取り付け部の前記長孔の位置と前記外側取り付け部の前記長孔の位置とは、前記長孔の周方向にずれていることを特徴とするフェンス用コーナー金具。
【請求項２】
前記内側取り付け部の前記長孔の位置と前記外側取り付け部の前記長孔の位置とは、前記長孔の幅方向にずれていることを特徴とする、請求項１に記載のフェンス用コーナー金具。
【請求項３】
前記内側取り付け部の前記長孔は、前記外側取り付け部の前記長孔より上方に形成されていることを特徴とする、請求項１に記載のフェンス用コーナー金具。
【発明の詳細な説明】
【技術分野】
【０００１】
この発明は、フェンス用コーナー金具、特に、丸パイプからなる支柱に取り付けられるパネルの取り付け角度範囲を容易に拡大することができるフェンス用コーナー金具に関するものである。
【背景技術】
【０００２】
図１２から図１４に示すように、丸パイプからなる支柱２１と、支柱２１の両側に取り付けられたパネル２２とからなるフェンスにおいて、支柱２１に対するパネル２２の、支柱２１と直交する面内における取り付け角度を調整する一つの手段として、図１５に示すようなコーナー金具が知られている。以下、このコーナー金具を従来コーナー金具といい、図面を参照しながら説明する。
【０００３】
図１５に示すように、従来コーナー金具は、リング状の金具本体２４と、金具本体２４に対抗して形成された一対のボルト孔２５と、一対のボルト孔２５間の金具本体２４に、金具本体２４から外方に突出して形成された突出部２６と、突出部２６に形成された長孔２７とからなっている。
【０００４】
従来コーナー金具によりフェンス用支柱にパネルを取り付けるには、図１６（ａ）、図１６（ｂ）に示すように、短尺ボルト２８を金具本体２４の突出部２６の内側から長孔２７に通した状態で、支柱２１を立てる前に金具本体２４を支柱２１に嵌め込む。そして、短尺ボルト２８を一方のパネル２２ａに固定された継手金具２９ａのボルト孔３０に通して、ナット３１により固定する。
【０００５】
次に、長尺ボルト３２を他方のパネル２２ｂに固定された継手金具２９ｂのボルト孔３３と金具本体２４のボルト孔２５と、支柱２１に形成されたボルト孔３４に通してナット３５により固定する。
【０００６】
短尺ボルト２８の頭部２８ａは、長孔２７の長さの範囲内で移動可能であるので、この例では、一方のパネル２２ａと他方のパネル２２ｂとの取り付け角度は、図５（ａ）に示すように、６０°から図５（ｂ）に示すように、１２０°の範囲内で調整することができる。
【発明の概要】
【発明が解決しようとする課題】
【０００７】
上述したように、従来コーナー金具によれば、フェンス用パネルの支柱への取り付け角度を所定範囲内で調整することはできるが、以下のような問題があった。
【０００８】
（ａ）パネル２２の支柱２１への取り付け角度の調整範囲は、６０°から１２０°の範囲内に限定される。以下、この理由を説明する。
【０００９】
一方のパネル２２ａと他方のパネル２２ｂとの取り付け角度を６０°未満にできない理由は、突出部２６内での短尺ボルト２８の頭部２８ａの移動に余裕があっても、一方のパネル２２ａの継手金具２９ａと他方のパネル２２ｂの継手金具２９ｂとが互いに干渉するからである。実際には、パネル２２の取り付け角度を６０°未満でフェンスを施工する必要性はあまりない。
【００１０】
一方、パネル２２ａとパネル２２ｂとの取り付け角度を１２０°超にできない理由は、金具本体２４に形成する突出部２６の長さには限界があるからである。
【００１１】
調整範囲外の角度に対応するには、工事現場で継手金具２９ａを支柱２１に溶接していたが、時間と手間を要する。
【００１２】
（ｂ）支柱２１の頂部には、キャップ２３が取り付けらている。キャップ２３の外径は、リング状の金具本体２４の内径より大きいので、支柱２１にパネル２２ａを取り付ける際には、支柱２１にキャップ２３を取り付ける前に、すなわち、支柱２１を立てる前に支柱２１に金具本体２４を嵌め込まねばならず、フェンスの施工に時間と手間を要する。
【００１３】
この発明の目的は、丸パイプからなる支柱に取り付けられるパネルの取り付け角度範囲を容易に容易に拡大することができるフェンス用コーナー金具を提供することにある。
【課題を解決するための手段】
【００１４】
この発明は、上記目的を達成するためになされたものであり、下記を特徴とするものである。
【００１５】
請求項１に記載の発明は、丸パイプからなる支柱にパネルを継手金具を介して取り付け角度調整可能に取り付けるフェンス用コーナー金具において、前記支柱と同一曲率で湾曲した、前記支柱に固定される内側取り付け部と、前記内側取り付け部の外側に前記内側取り付け部と間隔をあけ、前記内側取り付け部と同一曲率で前記内側取り付け部に沿って湾曲した、前記継手金具が固定される外側取り付け部とからなり、前記内側取り付け部と前記外側取り付け部とは、それぞれ上端部で一体的に連結され、前記内側取り付け部と前記外側取り付け部とには、それぞれ長孔が形成され、前記内側取り付け部の一方の端部は、前記外側取り付け部の一方の端部より突出し、前記外側取り付け部の他方の端部は、前記内側取り付け部の他方の端部より突出し、かくして、前記内側取り付け部の前記長孔の位置と前記外側取り付け部の前記長孔の位置とは、前記長孔の周方向にずれていることに特徴を有するものである。
【００１６】
請求項２に記載の発明は、請求項１に記載の発明において、前記内側取り付け部の前記長孔の位置と前記外側取り付け部の前記長孔の位置とは、前記長孔の幅方向にずれていることに特徴を有するものである。
【００１７】
請求項３に記載の発明は、請求項１に記載の発明において、前記内側取り付け部の前記長孔は、前記外側取り付け部の前記長孔より上方に形成されていることに特徴を有するものである。
【発明の効果】
【００１８】
この発明によれば、支柱に固定される内側取り付け部と、継手金具が固定される外側取り付け部とを設け、内側取り付け部に形成した長孔と、外側取り付け部に形成した長孔の位置を、長孔の周方向にずらすことによって、丸パイプからなる支柱に取り付けられるパネルの取り付け角度範囲を容易に拡大することができる。
【００１９】
また、この発明によれば、内側取り付け部の長孔と外側取り付け部の長孔の位置を、長孔の幅方向にずらすことによって、内側取り付け部と外側取り付け部との間隔を大きく広げることなく、一方のパネルの継手金具の長孔に通される短尺ボルトの頭部と内側取り付け部の長孔に通される長尺ボルトの頭部との干渉を防止することができる。
【００２０】
また、この発明のコーナー金具は、従来コーナー金具のようにリング状ではないので、支柱にキャップを取り付けた後でも、すなわち、支柱を立てた後でもキャップを取り外すことなく支柱に取り付けることができる。
【図面の簡単な説明】
【００２１】
【図１】この発明のフェンス用コーナー金具を示す正面図である。
【図２】この発明のフェンス用コーナー金具を示す背面図である。
【図３】この発明のフェンス用コーナー金具を示す右側面図である。
【図４】この発明のフェンス用コーナー金具を示す左側面図である。
【図５】この発明のフェンス用コーナー金具を示す平面図である。
【図６】この発明のフェンス用コーナー金具を示す底面図である。
【図７】この発明のフェンス用コーナー金具を背面側から視た斜視図である。
【図８】この発明のフェンス用コーナー金具を正面側から視た斜視図である。
【図９】この発明のフェンス用コーナー金具により６０°の取り付け角度でパネルを取り付けた状態を示す平面図である。
【図１０】この発明のフェンス用コーナー金具により１２０°の取り付け角度でパネルを取り付けた状態を示す平面図である。
【図１１】この発明のフェンス用コーナー金具により１８０°の取り付け角度でパネルを取り付けた状態を示す平面図である。
【図１２】フェンスを示す正面図である。
【図１３】フェンスを示す平面図である。
【図１４】フェンスを示す側面図である。
【図１５】従来コーナー金具を示す斜視図である。
【図１６】（ａ）は従来コーナー金具により６０°の取り付け角度でパネルを取り付けた状態を示す平面図、（ｂ）は  従来コーナー金具により１２０°の取り付け角度でパネルを取り付けた状態を示す平面図である。
【発明を実施するための形態】
【００２２】
この発明のフェンス用コーナー金具の一実施態様を、図面を参照しながら説明する。
【００２３】
図１は、この発明のフェンス用コーナー金具を示す正面図、図２は、この発明のフェンス用コーナー金具を示す背面図、図３は、この発明のフェンス用コーナー金具を示す右側面図、図４は、この発明のフェンス用コーナー金具を示す左側面図、図５は、この発明のフェンス用コーナー金具を示す平面図、図６は、この発明のフェンス用コーナー金具を示す底面図、図７は、この発明のフェンス用コーナー金具を背面側から視た斜視図、図８は、この発明のフェンス用コーナー金具を正面側から視た斜視図である。
【００２４】
図１から図８に示すように、この発明のフェンス用コーナー金具は、丸パイプからなる支柱１（図９から図１１参照）と同一曲率で湾曲した、支柱１に固定される内側取り付け部２と、内側取り付け部２の外側に内側取り付け部２と間隔をあけ、内側取り付け部２と同一曲率で内側取り付け部２に沿って湾曲した外側取り付け部３とからなっている。外側取り付け部３には、一方のパネル４ａ（図９から図１１参照）の継手金具４ａ（図９から図１１参照）が固定される。
【００２５】
内側取り付け部２と外側取り付け部３とは、鋼板を逆Ｕ字状にプレス加工したものからなっていて、内側取り付け部２と外側取り付け部３とは、それぞれ上端部で一体的に連結されている。
【００２６】
内側取り付け部２の一方の端部２ａは、外側取り付け部３の一方の端部３ａより突出し、外側取り付け部３の他方の端部３ｂは、内側取り付け部２の他方の端部２ｂより突出している。
【００２７】
内側取り付け部２と外側取り付け部３とには、それぞれ長孔６、７が形成され、内側取り付け部２の長孔６の位置と外側取り付け部３の長孔７の位置とは、長孔６、７の周方向にずれている。すなわち、内側取り付け部２の長孔６は、一端６ａから他端６ｂまで形成され、外側取り付け部３の長孔７は、一端７ａから他端７ｂまで形成されている。
【００２８】
また、外側取り付け部３の下端部は、内側取り付け部２の下端部より下方に突出している。かくして、内側取り付け部２の長孔６は、外側取り付け部３の長孔７より上方に形成されている。
【００２９】
このように構成されている、この発明のフェンス用コーナー金具によるフェンス用支柱へのパネルの取り付け方法について説明する。
【００３０】
図９に示すように、支柱１に対して、一方のパネル４ａと他方のパネル４ｂとを６０°の取り付け角度で取り付けるには、以下のようにする。
【００３１】
短尺ボルト１２を外側取り付け部３の長孔７に予め通しておく。
【００３２】
次に、長尺ボルト８を内側取り付け部２の長孔６の一端６ａから支柱１のボルト孔９および他方のパネル４ｂに固定された継手金具５ｂのボルト孔１０に通し、ナット１１を締めて、支柱１にコーナー金具と他方のパネル４ｂとを取り付ける。
【００３３】
次に、予め外側取り付け部３の長孔７に通してある短尺ボルト１２を一方のパネル４ａに固定された継手金具５ａのボルト孔１３に通し、短尺ボルト１２が外側取り付け部３の長孔７の他端７ｂに来るまで、一方のパネル４ａを他方のパネル４ｂ側に寄せ、ナット１４を締める。
【００３４】
このようにして、支柱１にコーナー金具を介して一方のパネル４ａを取り付けることにより、一方のパネル４ａと他方のパネル４ｂとを６０°の取り付け角度で支柱１に取り付けることができる。
【００３５】
図１０に示すように、支柱１に対して、一方のパネル４ａと他方のパネル４ｂとを１２０°の取り付け角度で取り付けるには、以下のようにする。
【００３６】
短尺ボルト１２を外側取り付け部３の長孔７に予め通しておく。
【００３７】
次に、長尺ボルト８を内側取り付け部２の長孔６の一端６ａから支柱１のボルト孔９および他方のパネル４ｂに固定された継手金具５ｂのボルト孔１０に通し、ナット１１を締めて、支柱１にコーナー金具と他方のパネル４ｂとを取り付ける。
【００３８】
次に、予め外側取り付け部３の長孔７に通してある短尺ボルト１２を一方のパネル４ａに固定された継手金具５ａのボルト孔１３に通し、短尺ボルト１２が外側取り付け部３の長孔７の一端７ａに来るまで、一方のパネル４ａを他方のパネル４ｂから離し、ナット１４を締める。
【００３９】
このようにして、支柱１にコーナー金具を介して一方のパネル４ａを取り付けることによって、一方のパネル４ａと他方のパネル４ｂとを１２０°の取り付け角度で支柱１に取り付けることができる。
【００４０】
図１１に示すように、支柱１に対して、一方のパネル４ａと他方のパネル４ｂとを１８０°の取り付け角度で取り付けるには、以下のようにする。
【００４１】
短尺ボルト１２を外側取り付け部３の長孔７に予め通しておく。
【００４２】
次に、長尺ボルト８を内側取り付け部２の長孔６の他端６ｂから支柱１のボルト孔９および他方のパネル４ｂに固定された継手金具５ｂのボルト孔１０に通し、ナット１１を締めて、支柱１にコーナー金具と他方のパネル４ｂとを取り付ける。
【００４３】
次に、予め外側取り付け部３の長孔７に通してある短尺ボルト１２を一方のパネル４ａに固定された継手金具５ａのボルト孔１３に通し、短尺ボルト１２が外側取り付け部３の長孔７の一端７ａに来るまで、一方のパネル４ａを他方のパネル４ｂからさらに離し、ナット１４を締める。
【００４４】
この際、内側取り付け部２の長孔６と外側取り付け部３の長孔７とは、長孔６、７の幅方向にずれているので、すなわち、長孔６は、長孔７より上方に形成されているので、内側取り付け部２の長孔６と外側取り付け部３との間隔が狭くても長尺ボルト８の頭部８ａと短尺ボルト１２の頭部１２ａとが干渉するおそれはない。
【００４５】
内側取り付け部２の長孔６と外側取り付け部３との間隔を広げても頭部８ａと頭部１２ａとの干渉は、阻止できるが、このようにすると、支柱１と一方のパネル４ａとの間の隙間が大きくなり、好ましくない。
【００４６】
以上説明したように、この発明によれば、内側取り付け部２と外側取り付け部３とにそれぞれ長孔６、７を形成することによって、支柱１と内側取り付け部２との取り付け角度範囲が広がると共に、一方のパネル４ａと外側取り付け部３との取り付け角度範囲が広がるので、支柱１への一方のパネル４ａと他方のパネル４ｂとの取り付け角度範囲を従来コーナー金具に比べて拡大することができる。
【００４７】
また、この発明のコーナー金具は、従来コーナー金具のようにリング状ではないので、支柱１にキャップを取り付けた後でも、すなわち、支柱１を立てた後でもキャップを取り外すことなく支柱に取り付けることができる。
【符号の説明】
【００４８】
１：支柱
２：内側取り付け部
２ａ：一方の端部
２ｂ：他方の端部
３：外側取り付け部
３ａ：一方の端部
３ｂ：他方の端部
４ａ：一方のパネル
４ｂ：他方のパネル
５ａ：継手金具
５ｂ：継手金具
６：長孔
６ａ：一端
６ｂ：他端
７：長孔
７ａ：一端
７ｂ：他端
８：長尺ボルト
８ａ：頭部
９：ボルト孔
１０：ボルト孔
１１：ナット
１２：短尺ボルト
１２ａ：頭部
１３：ボルト孔
１４：ナット
２１：支柱
２２：パネル
２２ａ：一方のパネル
２２ｂ：他方のパネル
２３：キャップ
２４：金具本体
２５：ボルト孔
２６：突出部
２７：長孔
２８：短尺ボルト
２８ａ：頭部
２９ａ：継手金具
２９ｂ：継手金具
３０：ボルト孔
３１：ナット
３２：長尺ボルト
３３：ボルト孔
３４：ボルト孔
３５：ナット
【図１】
2015206166.tif 000003
【図２】
2015206166.tif 000004
【図３】
2015206166.tif 000005
【図４】
2015206166.tif 000006
【図５】
2015206166.tif 000007
【図６】
2015206166.tif 000008
【図７】
2015206166.tif 000009
【図８】
2015206166.tif 000010
【図９】
2015206166.tif 000011
【図１０】
2015206166.tif 000012
【図１１】
2015206166.tif 000013
【図１２】
2015206166.tif 000014
【図１３】
2015206166.tif 000015
【図１４】
2015206166.tif 000016
【図１５】
2015206166.tif 000017
【図１６】
2015206166.tif 000018